(57)【特許請求の範囲】
【請求項１】
飲料の容器としてのボトルを模したダミーボトルであって、
中空状のダミーボトル本体と、そのダミーボトル本体に着脱可能に取り付けられるカバー部材とを有し、
前記ダミーボトル本体は、本体部と、その本体部から上方に延びるとともに上方に向かうに連れて径小となる傾斜部とを備え、
前記カバー部材は、前記ダミーボトル本体の前記傾斜部の外周を覆うカバー本体部を備え、
そのカバー本体部は、前記ボトルを通して見える前記飲料の色を模した色が表わされているとともに、前記傾斜部の前面側を覆う前部部分と、その前部部分の左右の各側からそれぞれ延設されて前記傾斜部の背面側に回り込む左右の端部部分とを備えており、かつ、弾性限界内で可撓性を有しており、
前記カバー部材は、前記カバー本体部の前記端部部分間を広げることで、前記傾斜部に嵌められ、嵌めた後には、前記カバー本体部の弾性により、前記端部部分間の広がりが元に戻るとともに、その端部部分が前記傾斜部の背面側に掛かることを特徴とするダミーボトル。
【請求項２】
請求項１に記載のダミーボトルにおいて、
前記ダミーボトル本体は、掛止部を備え、その掛止部は、前記傾斜部の背面側の左右の各側に、窪むようにして設けられ、
前記カバー部材は、前記掛止部に掛け止められる被掛止部を備え、その被掛止部は、前記端部部分に形成されていることを特徴とするダミーボトル。
【請求項３】
請求項１または２に記載のダミーボトルにおいて、
前記ダミーボトル本体に着脱可能に取り付けられる見本表示ラベルを有し、
前記見本表示ラベルは、そのラベル本体部が前記本体部の外周を覆うように配置されることを特徴とするダミーボトル。
【請求項４】
飲料の容器としてのボトルを模したダミーボトルにおける、中空状のダミーボトル本体に着脱可能に取り付けられるカバー部材であって、
本体部と、その本体部から上方に延びるとともに上方に向かうに連れて径小となる傾斜部とを備えた前記ダミーボトル本体の、前記傾斜部の外周を覆う、カバー本体部を備え、
そのカバー本体部は、前記ボトルを通して見える前記飲料の色を模した色が表わされているとともに、前記傾斜部の前面側を覆う前部部分と、その前部部分の左右の各側からそれぞれ延設されて前記傾斜部の背面側に回り込む左右の端部部分とを備えており、かつ、弾性限界内で可撓性を有しており、
前記カバー本体部の前記端部部分間を広げることで、前記傾斜部に嵌められ、嵌めた後には、前記カバー本体部の弾性により、前記端部部分間の広がりが元に戻るとともに、その端部部分が前記傾斜部の背面側に掛かることを特徴とする、ダミーボトルに用いられるカバー部材。
【請求項５】
請求項４に記載のカバー部材において、
前記ダミーボトル本体に備わる、前記傾斜部の背面側の左右の各側に窪むようにして設けられた掛止部に掛け止められる被掛止部を備え、
その被掛止部は、前記端部部分に形成されていることを特徴とする、ダミーボトルに用いられるカバー部材。
【発明の詳細な説明】
【０００１】
【発明の属する技術分野】
この発明は、飲料の容器としてのボトルを模したダミーボトル、およびダミーボトルに用いられるカバー部材に関するものである。
【０００２】
【従来の技術】
ジュース等の飲料用の自動販売機内に陳列される、その飲料の容器となるボトルを模したダミー体に関する先行技術として、特願２００１−０２８８６３号に示されるダミーボトルがある。このダミーボトルは、光透過体からなるダミーボトル本体と、そのダミーボトル本体の中央部分から下部部分までを覆うようにして、ダミーボトル本体に取り付けられる見本表示ラベルとから構成されていた。
【０００３】
【発明が解決しようとする課題】
ところで、前記ダミーボトルにあっては、ダミーボトル本体は、その中央部分から下部部分までが、見本表示ラベルによって覆われるものの、上部部分は、ダミーボトル本体そのものが露出していた。そして、このダミーボトル本体の露出した部分には、飲料のボトルの、そのボトルを通して見える飲料の色が表われるとは限らず、ダミーとしての完全性に欠けていた。
【０００４】
そこで、本発明者は、飲料の色に合わせた種々の色のダミーボトル本体を用意することを考えたが、ダミーボトル本体の種類が増えて生産性が悪くなる虞があった。また、このように、ダミーボトル本体を飲料の色に合わせると、見本表示ラベルに、ダミーボトル本体の色が透けて見えたり、ダミーボトル本体の内側から見本表示ラベルを照明した場合には、ダミーボトル本体の色が浮き出たりすることがあり、好ましくなかった。
【０００５】
この発明は、上記した従来の欠点を解決するためになされたものであり、その目的とするところは、容器としてのボトルを通して見える飲料の色を、簡単に表わすことができる、ダミーボトル、およびダミーボトルに用いられるカバー部材を提供することにある。
【０００６】
【課題を解決するための手段】
この発明に係るダミーボトル、およびダミーボトルに用いられるカバー部材は、前記目的を達成するために、次の構成からなる。すなわち、
請求項１に記載の発明に係るダミーボトルは、飲料の容器としてのボトルを模したダミーボトルであって、中空状のダミーボトル本体と、そのダミーボトル本体に着脱可能に取り付けられるカバー部材とを有する。ここで、前記ダミーボトル本体は、本体部と、その本体部から上方に延びるとともに上方に向かうに連れて径小となる傾斜部とを備える。また、前記カバー部材は、前記ダミーボトル本体の前記傾斜部の外周を覆うカバー本体部を備える。そして、そのカバー本体部は、前記ボトルを通して見える前記飲料の色を模した色が表わされているとともに、前記傾斜部の前面側を覆う前部部分と、その前部部分の左右の各側からそれぞれ延設されて前記傾斜部の背面側に回り込む左右の端部部分とを備えており、かつ、弾性限界内で可撓性を有しており、また、前記カバー部材は、前記カバー本体部の前記端部部分間を広げることで、前記傾斜部に嵌められ、嵌めた後には、前記カバー本体部の弾性により、前記端部部分間の広がりが元に戻るとともに、その端部部分が前記傾斜部の背面側に掛かる。
【０００７】
こうして、カバー部材における、ダミーボトル本体の傾斜部の外周を覆うカバー本体部が、容器としてのボトルを通して見える飲料の色を模した色が表わされることで、このダミーボトルに、飲料の色が表現される。そして、このカバー本体部を備えるカバー部材は、ダミーボトル本体とは別体であって、種々の色のカバー部材に対して、同一種類のダミーボトル本体を共通に用いることが可能となる。また、カバー部材は、ダミーボトル本体に着脱可能に取り付けられるため、ダミーボトル本体に対して、種々の色のカバー部材を取り替え交換することで、このダミーボトルは、様々な飲料のボトルに対応することができる。しかも、カバー部材における端部部分間を広げることで、このカバー部材を、ダミーボトル本体の傾斜部に容易に取り付けることができる。
【０００８】
また、請求項２に記載の発明に係るダミーボトルのように、請求項１に記載のダミーボトルにおいて、前記ダミーボトル本体は、掛止部を備え、その掛止部は、前記傾斜部の背面側の左右の各側に、窪むようにして設けられ、前記カバー部材は、前記掛止部に掛け止められる被掛止部を備え、その被掛止部は、前記端部部分に形成されてもよい。こうして、カバー部材は、その被掛止部が、ダミーボトル本体の掛止部に掛け止められ、ダミーボトル本体に確実に取り付けられる。
【０００９】
また、請求項３に記載の発明に係るダミーボトルのように、請求項１または２に記載のダミーボトルにおいて、前記ダミーボトル本体に着脱可能に取り付けられる見本表示ラベルを有し、前記見本表示ラベルは、そのラベル本体部が前記本体部の外周を覆うように配置されてもよい。これにより、ダミーボトル本体に対して、種々の色のカバー部材だけでなく、種々の見本表示ラベルを取り替え交換することで、このダミーボトルは、より一層様々な飲料のボトルに対応することができる。
【００１０】
【００１１】
【００１２】
また、請求項４に記載の発明に係る、ダミーボトルに用いられるカバー部材は、飲料の容器としてのボトルを模したダミーボトルにおける、中空状のダミーボトル本体に着脱可能に取り付けられるカバー部材である。このカバー部材は、本体部と、その本体部から上方に延びるとともに上方に向かうに連れて径小となる傾斜部とを備えた前記ダミーボトル本体の、前記傾斜部の外周を覆う、カバー本体部を備える。そして、そのカバー本体部は、前記ボトルを通して見える前記飲料の色を模した色が表わされているとともに、前記傾斜部の前面側を覆う前部部分と、その前部部分の左右の各側からそれぞれ延設されて前記傾斜部の背面側に回り込む左右の端部部分とを備えており、かつ、弾性限界内で可撓性を有しており、前記カバー本体部の前記端部部分間を広げることで、前記傾斜部に嵌められ、嵌めた後には、前記カバー本体部の弾性により、前記端部部分間の広がりが元に戻るとともに、その端部部分が前記傾斜部の背面側に掛かる。
【００１３】
こうして、ダミーボトル本体の傾斜部の外周を覆うカバー本体部が、容器としてのボトルを通して見える飲料の色を模した色が表わされることで、このダミーボトルに、飲料の色が表現される。そして、このカバー本体部を備えるカバー部材は、ダミーボトル本体とは別体であって、種々の色のカバー部材に対して、同一種類のダミーボトル本体を共通に用いることが可能となる。また、カバー部材は、ダミーボトル本体に着脱可能に取り付けられるため、ダミーボトル本体に対して、種々の色のカバー部材を取り替え交換することで、ダミーボトルが、様々な飲料のボトルに対応することができる。しかも、カバー部材における端部部分間を広げることで、このカバー部材を、ダミーボトル本体の傾斜部に容易に取り付けることができる。
【００１４】
【００１５】
【００１６】
【００１７】
また、請求項５に記載の発明に係る、ダミーボトルに用いられるカバー部材のように、請求項４に記載のカバー部材において、前記ダミーボトル本体に備わる、前記傾斜部の背面側の左右の各側に窪むようにして設けられた掛止部に掛け止められる被掛止部を備え、その被掛止部は、前記端部部分に形成されてもよい。こうして、このカバー部材は、その被掛止部が、ダミーボトル本体の掛止部に掛け止められ、ダミーボトル本体に確実に取り付けられる。
【００１８】
【発明の実施の形態】
以下、この発明に係るダミーボトル、およびダミーボトルに用いられるカバー部材の実施の形態を図面に基づいて説明する。
【００１９】
図１ないし図６は、本発明に係るダミーボトル、およびダミーボトルに用いられるカバー部材の一実施の形態を示す。図中符号１は、自動販売機内に陳列される、飲料の容器としてのＰＥＴボトルを模した、ダミーボトルである。このダミーボトル１は、中空状のダミーボトル本体２と、そのダミーボトル本体２に取り付けられるカバー部材３と、同じくダミーボトル本体２に取り付けられる見本表示ラベル４とを有している。
【００２０】
ここで、ダミーボトル本体２は、例えば、ポリカーボネート樹脂等の合成樹脂製であって、ブロー成形によって形成された無色透明体である。そして、ダミーボトル本体２は、柱状、例えば略角柱状に形成された本体部２ａと、その本体部２ａから上方に延びるとともに上方に向かうに連れて径小となる傾斜部２ｂとを備えている。また、ダミーボトル本体２は、カバー部材３の後述する被掛止部３ｂ、３ｂを掛け止めるための掛止部２ｃ、２ｃを備えている。この掛止部２ｃは、傾斜部２ｂの下端部分であって、背面側の左右の各側に、窪むようにして設けられている。さらに、ダミーボトル本体２は、略角柱状に形成されたうちの、背面側の平面部２ｄであって、見本表示ラベル４の後述する被掛止片４ｂ、４ｂと対応する位置に、円形状の掛止孔２ｅを備えており、この掛止孔２ｅは、被掛止片４ｂ、４ｂの両方が差し入れられる共通の孔となっている。
【００２１】
また、図３に示すように、ダミーボトル本体２は、上端部分に、飲み口部２ｆを備えている。ここで、ダミーボトル１は、キャップ５を有しており、そのキャップ５は、ダミーボトル本体２の前記飲み口部２ｆに、螺合するようにして、着脱可能に取り付けられる。また、ダミーボトル本体２の下部には、このダミーボトル本体２、つまりはダミーボトル１を、自動販売機内のステージに固定するための、円形状の突底部２ｇが設けられている。
【００２２】
カバー部材３は、例えばポリカーボネート樹脂等の合成樹脂製であって、ダミーボトル本体２に着脱可能に取り付けられる。このカバー部材３は、ダミーボトル本体２の外周を覆うカバー本体部３ａと、ダミーボトル本体２の掛止部２ｃ、２ｃに掛け止められる被掛止部３ｂ、３ｂを備えている。そして、このカバー本体部３ａ（図示実施の形態においては被掛止部３ｂ、３ｂを含むカバー部材３全体）は、容器としてのＰＥＴボトルを通して見える飲料の色、例えば、オレンジ色、黄色、茶色、白色等を模した色が表わされている。詳細には、このカバー部材３は、カバー本体部３ａが、ダミーボトル本体２の傾斜部２ｂの外周を覆うように配置される。そして、カバー本体部３ａは、ダミーボトル本体２の傾斜部２ｂの前面側を覆う前部部分３ｃと、その前部部分３ｃの左右の各側からそれぞれ延設されて前記傾斜部２ｂの背面側に回り込む左右の端部部分３ｄ、３ｄとからなり、弾性限界内で可撓性を有している。また、被掛止部３ｂは、ダミーボトル本体２の掛止部２ｃと係合するよう、端部部分３ｄの下部側端から内側に向かって突出して形成されている。
【００２３】
見本表示ラベル４は、湾曲あるいは屈曲可能であって、例えば、ポリエステルフィルム等の樹脂フィルム等からなり、表面もしくは裏面に、飲料の容器としてのＰＥＴボトルと同様の文字や模様（図示省略）が印刷されている。また、この見本表示ラベル４は、ダミーボトル本体２における本体部２ａの外周を覆うように配置されるラベル本体部４ａと、そのラベル本体部４ａの各側端側に形成された被掛止片４ｂ、４ｂとを備えている。このとき、ラベル本体部４ａには、予め、略角柱状となった本体部２ａのその形状に合わせて、すじ押し（罫線加工）による折り目４ｃ、４ｃが付けられている。そして、被掛止片４ｂ、４ｂは、ダミーボトル本体２の掛止孔２ｅに外側から差し入れられて、掛止孔２ｅの周縁部に掛け止められる。このとき、被掛止片４ｂ、４ｂは、側方先端部分が、互いに重なるようにして、掛止孔２ｅに差し入れられている（図２、図３参照）。
【００２４】
次に、以上の構成からなる、カバー部材３を含むダミーボトル１の作用効果について説明する。このダミーボトル１によると、ダミーボトル本体２の外周を覆うカバー本体部３ａが、容器としてのＰＥＴボトルを通して見える飲料の色を模した色が表わされることで、このダミーボトル１に、飲料の色が表現される。したがって、ダミーボトル本体２に取り付けられるカバー部材３によって、ＰＥＴボトルを通して見える飲料の色を、簡単に表わすことができる。しかも、このカバー本体部３ａを備えるカバー部材３は、ダミーボトル本体２とは別体であって、ＰＥＴボトルを通して見える飲料の色を模した、種々の色のカバー部材３、３に対して、同一種類のダミーボトル本体２、２を共通に用いることが可能となる。
【００２５】
また、カバー部材３は、ダミーボトル本体２に着脱可能に取り付けられるので、ダミーボトル本体２に対して、種々の色のカバー部材３、３を取り替え交換することで、このダミーボトル１は、様々な飲料のＰＥＴボトルに対応することができる。さらに、見本表示ラベル４は、ダミーボトル本体２に着脱可能に取り付けられるので、ダミーボトル本体２に対して、種々の色のカバー部材３、３だけでなく、種々の見本表示ラベル４、４を取り替え交換することで、このダミーボトル１は、より一層様々な飲料のＰＥＴボトルに対応することができる。
【００２６】
また、カバー部材３は、カバー本体部３ａが弾性限界内で可撓性を有しており、そのカバー本体部３ａの端部部分３ｄ、３ｄ間を広げることで、ダミーボトル本体２の傾斜部２ｂに嵌められる。そして、嵌めた後には、カバー本体部３ａの弾性により、端部部分３ｄ、３ｄ間の広がりは元に戻るとともに、その端部部分３ｄ、３ｄが、傾斜部２ｂの背面側に掛かる。こうして、このカバー部材３は、ダミーボトル本体２の傾斜部２ｂに取り付けられる。そして、このように、カバー部材３における端部部分３ｄ、３ｄ間を広げることで、このカバー部材３を、ダミーボトル本体２の傾斜部２ｂに容易に取り付けることができる。しかも、カバー部材３は、被掛止部３ｂ、３ｂを備えており、その被掛止部３ｂ、３ｂを、ダミーボトル本体２の掛止部２ｃ、２ｃに掛け止めることで、このカバー部材３を、ダミーボトル本体２に確実に取り付けることができる。
【００２７】
なお、本発明は、上述した実施の形態に限定されるわけではなく、その他種々の変更が可能である。例えば、ダミーの対象となる、飲料の容器としてのボトルは、ＰＥＴボトルでなくとも、内部の飲料が見えるものであれば、その他の材質、形状のボトルであってもよい。
【００２８】
また、参考例ではあるが、カバー部材３は、ダミーボトル本体２に、着脱可能に取り付けられなくとも、例えば接着等により、取外し不能に取り付けられてもよい。
【００２９】
また、カバー部材３の色は、容器としてのＰＥＴボトルを通して見える飲料の色を模したものであれば、透明色、半透明色あるいは不透明色であってもよく、また、カバー部材３の材料固有の色そのものであってもよい。
【００３０】
また、カバー部材３は、そのカバー本体部３ａが、ダミーボトル本体２の傾斜部２ｂの外周を覆っているが、この覆いは、傾斜部２ｂの一部を覆うものであってもよく、また、傾斜部２ｂを越えて、例えば本体部２ａに架かって覆うものであってもよい。
【００３１】
また、ダミーボトル本体２は、必ずしも無色透明体に限られるものでなく、有色透明体、あるいは透明体でなくとも光が透過できる光透過体、さらには光が透過できない光不透過体からなるものであってもよい。そして、ダミーボトル本体２が光不透過体からなる場合等においては、見本表示ラベル４をダミーボトル本体２の内側から照明する等のために、ダミーボトル本体２の柱状に形成された本体部２ａには、例えば、その前面側の大部分をくり貫いた孔が設けられていてもよい。
【００３２】
また、ダミーボトル本体２は、一体に形成されなくとも、二つの分割部材、あるいは三つ以上の分割部材から構成されていてもよい。さらに、これら分割部材が、上下方向の相対位置が調整可能となるよう組み付けられることで、このダミーボトル本体２の高さ、つまりはダミーボトル１の高さが調整できるようになっていてもよい。
【００３３】
【発明の効果】
以上、詳述したところから明らかなように、この発明に係るダミーボトル、およびダミーボトルに用いられるカバー部材によれば、次の効果がある。
【００３４】
請求項１に記載されたダミーボトル、または、請求項４に記載された、ダミーボトルに用いられるカバー部材によれば、ダミーボトル本体に取り付けられるカバー部材によって、容器としてのボトルを通して見える飲料の色を、簡単に表わすことができる。しかも、カバー部材は、ダミーボトル本体とは別体であるので、種々の色のカバー部材に対して、同一種類のダミーボトル本体を共通に用いることができる。また、カバー部材は、ダミーボトル本体に着脱可能に取り付けられるため、ダミーボトル本体に対して、種々の色のカバー部材を取り替え交換することで、ダミーボトルは、様々な飲料のボトルに対応することができる。しかも、カバー部材における、端部部分間を広げることで、このカバー部材を、ダミーボトル本体の傾斜部に容易に取り付けることができる。
【００３５】
また、請求項２に記載されたダミーボトル、または、請求項５に記載された、ダミーボトルに用いられるカバー部材によれば、加えて、カバー部材における、被掛止部を、ダミーボトル本体の掛止部に掛け止めることで、このカバー部材を、ダミーボトル本体に確実に取り付けることができる。
【００３６】
また、請求項３に記載されたダミーボトルによれば、加えて、ダミーボトル本体に対して、種々の色のカバー部材だけでなく、種々の見本表示ラベルを取り替え交換することで、このダミーボトルは、より一層様々な飲料のボトルに対応することができる。
【００３７】
【００３８】
【図面の簡単な説明】
【図１】  この発明に係るダミーボトル、およびダミーボトルに用いられるカバー部材の一実施の形態の、正面図である。
【図２】  同じく、背面図である。
【図３】  同じく、図１におけるＡ−Ａ線による断面図である。
【図４】  同じく、図１におけるＢ−Ｂ線による拡大端面図である。
【図５】  同じく、カバー部材の正面図である。
【図６】  同じく、カバー部材の底面図である。
【符号の説明】
１  ダミーボトル                ２  ダミーボトル本体
２ａ  本体部                    ２ｂ  傾斜部
２ｃ  掛止部                    ３  カバー部材
３ａ  カバー本体部              ３ｂ  被掛止部
３ｃ  前部部分                  ３ｄ  端部部分
４  見本表示ラベル              ４ａ  ラベル本体部
【図１】
0004925527.tif 000002
【図２】
0004925527.tif 000003
【図３】
0004925527.tif 000004
【図４】
0004925527.tif 000005
【図５】
0004925527.tif 000006
【図６】
0004925527.tif 000007